(57)【要約】【課題】簡易な構成でハロゲン電球の代替として使用できるＬＥＤの照明装置を提供する。【解決手段】外部から供給される駆動信号に応じて調光可能な照明装置であって、３６０ｎｍ以上４８０ｎｍ以下に発光ピーク波長を有する半導体発光素子を有し、第１色温度の白色光を出射する少なくとも１つの第１発光装置と、前記第１色温度に比して高い第２色温度の白色光を出射する少なくとも１つの第２発光装置と、前記駆動信号が供給される期間において、前記第１発光装置に供給される駆動電流を一定値で制御するとともに、前記第２発光装置に供給される駆動電流を前記駆動信号に応じて可変電流で制御する電流制御部と、を備える。【選択図】図１
2014130728.tif 000002
【特許請求の範囲】
【請求項１】
外部から供給される駆動信号に応じて調光可能な照明装置であって、
３６０ｎｍ以上４８０ｎｍ以下に発光ピーク波長を有する半導体発光素子を有し、第１色温度の白色光を出射する少なくとも１つの第１発光装置と、
前記第１色温度に比して高い第２色温度の白色光を出射する少なくとも１つの第２発光装置と、
前記駆動信号が供給される期間において、前記第１発光装置に供給される駆動電流を一定値で制御するとともに、前記第２発光装置に供給される駆動電流を前記駆動信号に応じて可変電流で制御する電流制御部と、
を備えることを特徴とする照明装置。
【請求項２】
前記電流制御部は、前記第１色温度及び前記第２色温度の合成色温度が、１６００Ｋ以上４０００Ｋ以下となるように、前記第２発光装置の駆動電流を制御する
ことを特徴とする請求項１に記載の照明装置。
【請求項３】
前記電流制御部は、前記第２発光装置に供給される駆動電流を減少させるように制御したときに、最終的に、前記第１色温度及び第２色温度の合成色温度が１６００Ｋ以上３０００Ｋ以下となるように前記第２発光装置の駆動電流を制御する
ことを特徴とする請求項１又は２に記載の照明装置。
【請求項４】
前記電流制御部は、前記第２発光装置に供給される駆動電流を停止したときに、前記第１発光装置に供給される駆動電流を前記駆動信号に応じて可変電流で制御する
ことを特徴とする請求項１乃至３のいずれか１項に記載の照明装置。
【請求項５】
前記電流制御部は、前記第２発光装置に供給される駆動電流を停止したときに、前記第１発光装置に供給される駆動電流を停止する
ことを特徴とする請求項１乃至３のいずれか１項に記載の照明装置。
【請求項６】
前記第１発光装置は、前記第１色温度が１６００Ｋ以上３０００Ｋ以下である
ことを特徴とする請求項１乃至５のいずれか１項に記載の照明装置。
【請求項７】
前記第２発光装置は、前記第１発光装置を取り囲むように配置される
ことを特徴とする請求項１乃至６のいずれか１項に記載の照明装置。
【請求項８】
前記第１発光装置及び前記第２発光装置の光射出方向に１つの共用の光学部材が配置される
ことを特徴とする請求項１乃至７のいずれか１項に記載の照明装置。
【請求項９】
前記第２発光装置の光射出方向のみに前記第２発光装置ごとに光学部材が配置される
ことを特徴とする請求項１乃至７のいずれか１項に記載の照明装置。
【請求項１０】
前記第１発光装置及び前記第２発光装置は交互となるように配置される
ことを特徴とする請求項１乃至９のいずれか１項に記載の照明装置。
【請求項１１】
前記電流制御部は、前記第２発光装置に供給される駆動電流の供給時間及び非供給時間の比率を制御するデューティ比制御回路を備え、
前記デューティ比制御回路は、前記供給時間及び前記非供給時間の比率を調整することにより前記第２発光装置の発光時間を制御する
ことを特徴とする請求項１乃至１０のいずれか１項に記載の照明装置。
【請求項１２】
前記第１発光装置は、３６０ｎｍ以上４２０ｎｍ以下に発光ピーク波長を有する半導体発光素子、並びにＳＢＣＡ蛍光体からなる青色蛍光体、β−サイアロン蛍光体からなる緑色蛍光体、及びＣＡＳＯＮ蛍光体、ＳＣＡＳＮ蛍光体、又はＣＡＳＮ蛍光体の少なくとも１つからなる赤色蛍光体を有する
ことを特徴とする請求項１乃至１１のいずれか１項に記載の照明装置。
【請求項１３】
前記第２発光装置は、４３０ｎｍ以上４８０ｎｍ以下に発光ピーク波長を有する半導体発光素子、及びＹＡＧ蛍光体からなる黄色蛍光体を有する
ことを特徴とする請求項１乃至１２のいずれか１項に記載の照明装置。
【請求項１４】
前記第１発光装置及び前記第２発光装置は、４３０ｎｍ以上４８０ｎｍ以下に発光ピーク波長を有する半導体発光素子、及びＹＡＧ蛍光体からなる黄色蛍光体を有する
ことを特徴とする請求項１乃至１１のいずれか１項に記載の照明装置。
【請求項１５】
前記第１発光装置及び前記第２発光装置は、３６０ｎｍ以上４２０ｎｍ以下に発光ピーク波長を有する半導体発光素子、並びにＳＢＣＡ蛍光体からなる青色蛍光体、β−サイアロン蛍光体からなる緑色蛍光体、及びＣＡＳＯＮ蛍光体、ＳＣＡＳＮ蛍光体、又はＣＡＳＮ蛍光体の少なくとも１つからなる赤色蛍光体を有する
ことを特徴とする請求項１乃至１１のいずれか１項に記載の照明装置。
【請求項１６】
前記第１発光装置は、４３０ｎｍ以上４８０ｎｍ以下に発光ピーク波長を有する半導体発光素子、及びＹＡＧ蛍光体からなる黄色蛍光体を有し、
前記第２発光装置は、３６０ｎｍ以上４２０ｎｍ以下に発光ピーク波長を有する半導体発光素子、並びにＳＢＣＡ蛍光体からなる青色蛍光体、β−サイアロン蛍光体からなる緑色蛍光体、及びＣＡＳＯＮ蛍光体、ＳＣＡＳＮ蛍光体、又はＣＡＳＮ蛍光体の少なくとも１つからなる赤色蛍光体を有する
ことを特徴とする請求項１乃至１１のいずれか１項に記載の照明装置。
【発明の詳細な説明】
【技術分野】
【０００１】
本発明は、ＬＥＤ（Light Emitting Diode）等の発光装置を複数備える照明装置に関する。
【背景技術】
【０００２】
従来、一般照明装置として、ＬＥＤ等の発光素子を複数備えたダウンライト、ユニバーサルダウンライト、及びスポットライト等の照明装置が広く用いられている。また、このような照明装置から出射される光の演色性を高めるための改良例として、例えば、特許文献１に記載のＬＥＤ照明装置や特許文献２及び特許文献３に記載の照明装置が提案されている。
【０００３】
特許文献１に記載されたＬＥＤ照明装置は、例えば、中央部に位置する赤色ＬＥＤの周囲を囲むように白色ＬＥＤが配置された構造を有する。特許文献２に記載された照明装置は、例えば、白色ＬＥＤと赤色ＬＥＤとを備えた照明装置において、白色ＬＥＤと赤色ＬＥＤとの合成光の色度を、ＪＩＳ・Ｚ・９１１２に規定された蛍光ランプの光源色の色度範囲内とする。さらに、特許文献３に記載された照明装置は、例えば、白色系の第１の光源と、電球色の第２の光源と、赤色の第３の光源とを備え、各光源からの光を調色する。
【先行技術文献】
【特許文献】
【０００４】
【特許文献１】特開２００４−３０３６５５号公報
【特許文献２】特開２００８−３００１２４号公報
【特許文献３】特開２０１２−２２１８５２号公報
【発明の概要】
【発明が解決しようとする課題】
【０００５】
一方、一般照明装置のうち、例えば、ハロゲン電球においては、出射する光の輝度に応じて光の色温度が変化するようになされており、ハロゲン電球の代替を目指すＬＥＤの照明装置においては、ハロゲン電球と同様に、出射する光の輝度に応じて光の色温度が変化することが望まれている。
【０００６】
しかしながら、特許文献１に記載のＬＥＤ照明装置や、特許文献２及び特許文献３に記載の照明装置は、ハロゲン電球と同様に、出射する光の輝度に応じて光の色温度が変化するようにはなされておらず、ハロゲン電球の代替としてＬＥＤの照明装置を使用することができないという問題がある。
【０００７】
本発明はこのような課題に鑑みてなされたものであり、その目的とするところは、簡易な構成でハロゲン電球の代替として使用できるＬＥＤの照明装置を提供することにある。
【課題を解決するための手段】
【０００８】
上記の目的を達成するべく、本発明の照明装置は、外部から供給される駆動信号に応じて調光可能な照明装置であって、３６０ｎｍ以上４８０ｎｍ以下に発光ピーク波長を有する半導体発光素子を有し、第１色温度の白色光を出射する少なくとも１つの第１発光装置と、前記第１色温度に比して高い第２色温度の白色光を出射する少なくとも１つの第２発光装置と、前記駆動信号が供給される期間において、前記第１発光装置に供給される駆動電流を一定値で制御するとともに、前記第２発光装置に供給される駆動電流を前記駆動信号に応じて可変電流で制御する電流制御部と、を備えることを特徴とする。
【０００９】
従って、第１発光装置に対しては一定値の駆動電流を供給しつつ、第１発光装置から出射する光よりも高い色温度の光を出射する第２発光装置に対しては、電流値を変化させて供給するため、照明装置全体としては、出射する光の明るさを変化させつつ、その色温度を適切に調整することが可能となる。また、第１発光装置に対する駆動電流の値は一定値であるため、第１発光装置及び第２発光装置の双方を適切に駆動するための複雑な制御方法及び制御回路が不要となる。
【発明の効果】
【００１０】
以上のことから、本発明によれば、簡易な構成でハロゲン電球の代替として使用できるＬＥＤの照明装置を提供することができる。
【図面の簡単な説明】
【００１１】
【図１】実施例に係る照明装置の概略を示す斜視図である。
【図２】実施例に係る照明装置の側面図である。
【図３】実施例に係る照明装置の正面図である。
【図４】実施例に係る照明装置を構成するＬＥＤモジュールの正面図である。
【図５】図４の線V-Vに沿ったＬＥＤモジュールの断面図である。
【図６】実施例に係る照明装置を構成する第１発光装置の断面図である。
【図７】実施例に係る照明装置を構成する第２発光装置の断面図である。
【図８】実施例に係る照明装置を構成するＬＥＤモジュールのレンズの正面図である。
【図９】実施例に係る照明装置を構成するＬＥＤモジュールのレンズの側面図である。
【図１０】図８線X-Xに沿った第１レンズの断面図である。
【図１１】実施例に係る照明装置の電気回路図である。
【図１２】図１１の回路構成における各トランジスタの作動状態、及び各発光装置の駆動電流の電流値の一例を示すタイムチャートである。
【図１３】図１１の回路構成における各トランジスタの作動状態、及び各発光装置の駆動電流の電流値の一例を示すタイムチャートである。
【図１４】実施例に係る照明装置から出射する合成白色光の特性を示す図である。
【図１５】実施例の変形例に係るＬＥＤモジュールの正面図である。
【図１６】実施例の変形例に係るＬＥＤモジュールの正面図である。
【図１７】実施例の変形例に係るＬＥＤモジュールの正面図である。
【発明を実施するための形態】
【００１２】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、実施例及び変形例の説明に用いる図面は、いずれも本発明による照明装置を模式的に示すものであって、理解を深めるべく部分的な強調、拡大、縮小、又は省略などを行っており、各構成部材の縮尺や形状等を正確に表すものとはなっていない場合がある。更に、実施例及び各変形例で用いる様々な数値及び数量は、いずれも一例を示すものであり、必要に応じて様々に変更することが可能である。
【実施例】
【００１３】
＜照明装置の構成＞
図１は本発明の実施例に係る照明装置１の概略を示す斜視図であり、図２は本発明の実施例に係る照明装置１の側面図であり、図３は、本発明の実施例に係る照明装置１の正面図である。図１乃至図３に示すように、照明装置１は、ＬＥＤ（Light Emitting Diode）モジュール２、及びＬＥＤモジュール２を保持する本体３から構成されている。
【００１４】
照明装置１の本体３は、ＬＥＤモジュール２が収納される開口４を備える筐体５と、開口４の外縁に沿って設けられた外枠６と、筐体５を天井等の設置箇所に固定するための３つの固定部材７と、から構成されている。
【００１５】
筐体５は、金属又はプラスチック部材からなり、照明装置１の使用環境及び使用用途に応じた強度を有している。図１及び図３に示すように、筐体５の開口４の平面形状は円形状であり、全体的な形状は略円柱状である。なお、筐体５の一部は、ヒートシンクとして構成するようにしても良い。
【００１６】
また、外枠６は、リング状の枠部材から構成され、その材料は金属又はプラスチック部材であり、照明装置１の使用環境及び使用用途に応じた強度を有している。図１及び図２に示すように、固定部材７は、筐体５と外枠６との接合部分から外側に向かって延在し、折り曲げられた形状を有するバネ等の弾性体から構成されている。このような固定部材７の構造により、照明装置１を天井等の設置箇所に取り付ける際に、当該設置箇所に設けられた開口に固定部材７が嵌着され、照明装置１が当該設置箇所に固定されることになる。
【００１７】
なお、照明装置１の外観構造は図１乃至図３に示されている形状に限定されることなく、ダウンライト、スポットライト、ユニバーサルダウンライト、ハロゲン電球、及び白熱電球等の一般的に知られている照明装置の形状を採用してもよい。すなわち、ＬＥＤモジュール２を収納及び保持することができる本体であれば、上述したような構造に限定されることなく、照明装置１の使用環境及び使用用途に応じてその構造を適宜選択することができる。
【００１８】
（ＬＥＤモジュール）
次に、図４及び図５を参照しつつＬＥＤモジュール２の構造を詳細に説明する。図４は、本実施例の照明装置１を構成するＬＥＤモジュール２の正面図である。また、図５は、図４の線V-Vに沿ったＬＥＤモジュール２の断面図である。
【００１９】
図４及び図５から分かるように、ＬＥＤモジュール２は、モジュール基板１１上に１個の第１ＬＥＤ（第１発光装置）１２及び６個の第２ＬＥＤ（第２発光装置）１３からなる発光体部１４と、第１ＬＥＤ１２及び第２ＬＥＤ１３の光射出方向に配置された１つの共用の光学部材であるレンズ１６とを有している。
【００２０】
発光体部１４において、モジュール基板１１の実装面の中央部上には１個の第１ＬＥＤ１２が配置され、当該１個の第１ＬＥＤ１２を囲むように６個の第２ＬＥＤ１３が配置されている。より具体的に、第２ＬＥＤ１３は、第１ＬＥＤ１２を囲むように同心円状に配置されている。このようにして、ＬＥＤモジュール２では、第１ＬＥＤ１２を囲むように同心円状に第２ＬＥＤ１３を配置し、１つの共用の光学部材であるレンズ１６を介して光を出射することにより、第１ＬＥＤ１２から出射する光と第２ＬＥＤ１３から出射する光を一段と混ぜ合わせることができる。
【００２１】
更に、モジュール基板１１の実装面上には外部接続端子１９、２０が設けられ、外部接続端子１９には第１ＬＥＤ１２に電力（駆動電流）を供給するための電力配線が接続され、外部接続端子２０には第２ＬＥＤ１３に電力（駆動電流）を供給するための電力配線が接続されている。なお、第１ＬＥＤ１２は、モジュール基板１１上にパターニングされた配線によって外部接続端子１９に接続され、第２ＬＥＤ１３は、モジュール基板１１上にパターニングされた別の配線によって外部接続端子２０に接続されている。すなわち、第１ＬＥＤ１２と第２ＬＥＤ１３とは電気的に接続されておらず、第１ＬＥＤ１２及び第２ＬＥＤ１３には別々の電力が供給されることになる。
【００２２】
なお、第１ＬＥＤ１２及び第２ＬＥＤ１３の接続関係及びその他の回路構成部材については、電気回路図を参照しつつ後述する。また、上述した電力配線は、筐体５に設けられた引き出し用の開口（図１乃至図３には図示せず）から照明装置１の外側に引き出され、所望の外部電源等に接続されている。
【００２３】
モジュール基板１１としては、例えば、アルミ材、絶縁層、及び銅箔を順次積層して形成されるアルミ基板、又はその他の金属基板を用いることができる。特に、当該アルミ基板は、熱伝導性、耐熱性、加工性、及び耐電圧性に優れており、ＬＥＤモジュール２の発光特性及び信頼性の向上に寄与する。なお、モジュール基板１１は、アルミ材以外の熱伝導性に優れた基板や、ガラス基板上に反射層を形成した絶縁基板等を用いてもよい。
【００２４】
（発光装置）
次に、図６及び図７を参照しつつ、第１ＬＥＤ１２及び第２ＬＥＤ１３の構造について説明する。図６は第１ＬＥＤ１２の断面図であり、図７は第２ＬＥＤ１３の断面図である。
【００２５】
図６に示すように、第１ＬＥＤ１２は、紫外〜紫色光を出射する半導体発光素子であるＬＥＤチップ２２、パッケージ２３、波長変換部材２４を備える。より具体的な構成として、パッケージ２３は、ＬＥＤチップ２２を実装するための実装基板２３ａ、実装基板２３ａの表面に形成された電極パターン２３ｂ、２３ｃ、実装されたＬＥＤチップ２２の周囲を囲むように形成されているキャビティ２３ｄから構成されている。すなわち、パッケージ２３は、その中央部分に開口２３ｅが形成され、当該開口２３ｅ内部にＬＥＤチップ２２が収納されている。
【００２６】
ここで、電極パターン２３ｂ、２３ｃは、開口２３ｅが形成されている実装基板２３ａの実装面側から、実装基板２３ａの側面を経由し、実装面側とは反対側に位置する実装基板２３ａの裏面側にまで延在している。そして、ＬＥＤチップ２２の陽極が電極パターン２３ｂ上に半田等によって直接的に実装され、ＬＥＤチップ２２の陰極が金属ワイヤー２５を介して電極パターン２３ｂに接続されている。これにより、パッケージ２３の外部からＬＥＤチップ２２に所望の電力を供給することができる。
【００２７】
また、図６に示すように、波長変換部材２４は、開口２３ｅを充填する母材２４ａ、並びに母材２４ａに分散保持された青色蛍光体２４ｂ、緑色蛍光体２４ｇ、及び赤色蛍光体２４ｒから構成されている。
【００２８】
以上のような構成から、本実施例に係る第１ＬＥＤ１２においては、波長変換部材２４の機能によって波長変換された互いに波長の異なる光の合成光である白色光が、波長変換部材２４のから外部に向かって出射することになる。以下において、第１ＬＥＤ１２を構成する各部材を詳細に説明する。
【００２９】
パッケージ２３は、例えば、電気絶縁性に優れて良好な放熱性を有し、かつ、反射率の高い（好ましくは反射率が８０％以上の）アルミナ系セラミック等から構成されている。なお、パッケージ２３の材質は、例えば、電気絶縁性に優れた材料として、樹脂、ガラスエポキシ樹脂、樹脂中にフィラーを含有した複合樹脂などから選択された材料を用いてパッケージ２３を形成してもよい。或いは、パッケージ２３のチップ実装面における光の反射性を良くして第１ＬＥＤ１２の発光効率を向上させる上では、アルミナ粉末、シリカ粉末、酸化マグネシウム、酸化チタンなどの白色顔料を含むシリコーン樹脂を用いることが好ましい。一方、より優れた放熱性及び反射性を得るため、パッケージ２３を絶縁体で被覆したアルミニウム等の金属製としてもよい。このような場合には、パッケージ２３の電極パターン２３ｂ、２３ｃなどを金属製の本体から電気的に絶縁する必要がある。
【００３０】
本実施例においては、ＬＥＤチップ２２には、例えば、４１０ｎｍのピーク波長を有した紫色光を発する紫色発光ダイオードを用いることができる。具体的な紫色ＬＥＤチップとして、例えば、ＧａＮやＰＳＳを基板とし、ＩｎＧａＮ半導体が発光層に用いられるＧａＮ系ＬＥＤチップがある。本実施例においてＬＥＤチップが発する光のピーク波長は、４００ｎｍ〜４２０ｎｍの波長範囲内にあるのが好ましく、４０５ｎｍ〜４１５ｎｍの波長範囲内にあることがより好ましい。なお、紫色ＬＥＤチップに代えて、紫外線を出射する他のＬＥＤチップや、又は近紫外チップを用いてもよい。
【００３１】
なお、ＬＥＤチップ２２の数量は１個に限定されることなく、同一のピーク波長を有する光を出射する複数のＬＥＤチップ２２を半導体発光源として用いてもよい。また、ＬＥＤチップ２２の種類や発光波長特性はこれに限定されるものではなく、本発明の要旨から逸脱しない限りにおいて、様々なＬＥＤチップなどの半導体発光素子を用いることができる。
【００３２】
波長変換部４は、ＬＥＤチップ２２から入射する紫外〜紫色光の少なくとも一部を吸収して励起し、基底状態に戻る際に紫外〜紫色光とは異なる波長を有する青色光を放射することができる青色蛍光体２４ｂ、紫外〜紫色光を吸収して励起し、基底状態に戻る際に紫外〜紫色光とは異なる波長を有する緑色光を放射することができる緑色蛍光体２４ｇ、及び紫外〜紫色光を吸収して励起し、基底状態に戻る際に紫外〜紫色光とは異なる波長を有する赤色光を放射することができる赤色蛍光体２４ｒが用いられる。
【００３３】
青色蛍光体２４ｂの発光ピーク波長は、通常は４２０ｎｍ以上、好ましくは４３０ｎｍ以上、より好ましくは４４０ｎｍ以上で、通常は５００ｎｍ未満、好ましくは４９０ｎｍ以下、より好ましくは４８０ｎｍ以下、更に好ましくは４７０ｎｍ以下、特に好ましくは４６０ｎｍ以下の波長範囲にあるものが好適である。具体的な青色蛍光体２４ｂとしては種々の蛍光体を使用することができるが、本実施例では、青色蛍光体２４ｂとして、ＳＢＣＡ（(Sr,Ba)10(PO4)6Cl2:Eu2+）が用いられている。なお、青色蛍光体２４ｂとしては、ＳＣＡ（Sr10(PO4)6Cl2:Eu2+）を用いるのも好適である。
【００３４】
緑色蛍光体２４ｇの発光ピーク波長は、通常は５１０ｎｍ以上、好ましくは５３０ｎｍ以上、より好ましくは５３５ｎｍ以上で、通常は５７０ｎｍ未満、好ましくは５５０ｎｍ以下、さらに好ましくは５４５ｎｍ以下の波長範囲にあるものが好適である。具体的な緑色蛍光体２４ｇとしては種々の蛍光体を使用することができるが、本実施例では、緑色蛍光体２４ｇとして、β−サイアロン（(Si,Al)6(N,O)8:Eu2+）が用いられている。なお、緑色蛍光体２４ｇとしては、ＬｕＡＧ（Lu3Al5O12:Ce）を用いるのも好適である。
【００３５】
赤色蛍光体２４ｒの発光ピーク波長は、通常は５７０ｎｍ以上、好ましくは５８０ｎｍ以上、より好ましくは６００ｎｍ以上、さらに好ましくは６３０ｎｍ以上、特に好ましくは６４５ｎｍ以上で、通常は７８０ｎｍ以下、好ましくは７００ｎｍ以下、より好ましくは６８０ｎｍ以下の波長範囲にあるものが好適である。具体的な赤色蛍光体２４ｒとしては種々の蛍光体を使用することができるが、本実施例では、赤色蛍光体２４ｒとして、ＳＣＡＳＮ（(Sr,Ca)AlSiN3:Eu）が用いられている。なお、赤色蛍光体２４ｒとしては、ＣＡＳＯＮ（(Eu,Ca)AlSiN3-xSi2N2O）、ＳＣＡＳＮ、又はＣＡＳＮ（CaAlSiN3:Eu）の少なくとも１つを用いるのが好適である。
【００３６】
母材２４ａには、樹脂又はガラス等の透光性を備える材料を用いることができ、本実施例においては、樹脂を使用した。本実施例において、波長変換部材２４は、樹脂である母材２４ａに各蛍光体を練り込むことにより形成されている。具体的な樹脂としては、例えば、シリコーン系樹脂、エポキシ樹脂、ポリカーボネート樹脂等の種々の樹脂又はガラス等の透光性を備える材料を用いることができる。
【００３７】
以上のような構成から、母材３４ａに対する青色蛍光体２４ｂ、緑色蛍光体２４ｇ、及び赤色蛍光体２４ｒの含有比率を調整することにより、第１ＬＥＤ１２は、色温度が約１９００Ｋ（第１色温度）の白色光を出射する発光装置となる。
【００３８】
一方、図７に示すように、第２ＬＥＤ１３は、青色光を出射する半導体発光素子であるＬＥＤチップ３２、パッケージ２３、波長変換部材３４を備える。すなわち、第２ＬＥＤ１３は、第１ＬＥＤと比較して、半導体発光源であるＬＥＤチップの種類が異なるものの、パッケージ構造及びＬＥＤチップの実装構造は同一である。
【００３９】
また、図７に示すように、波長変換部材３４は、開口２３ｅを充填する母材３４ａと、母材３４ａに分散保持された黄色蛍光体３４ｙと、から構成されている。
【００４０】
以上のような構成から、本実施例に係る第２ＬＥＤ１３においては、ＬＥＤチップ３２から放射される青色光と、波長変換部材３４の機能によって波長変換された波長の異なる黄色光との合成光である白色光が、波長変換部材３４のから外部に向かって出射することになる。ここで、黄色蛍光体３４ｙは、ＬＥＤチップ３２から入射する青色光の少なくとも一部を吸収して励起し、基底状態に戻る際に青色光とは異なる波長を有する黄色光を放射することができる蛍光体である。
【００４１】
黄色蛍光体３４ｙの発光ピーク波長は、通常は５３０ｎｍ以上、好ましくは５４０ｎｍ以上、より好ましくは５５０ｎｍ以上で、通常は６２０ｎｍ以下、好ましくは６００ｎｍ以下、より好ましくは５８０ｎｍ以下の波長範囲にあるものが好適である。具体的な黄色蛍光体３４ｙとしては、種々の黄色蛍光体を使用することができるが、本実施例では、黄色蛍光体３４ｙとして、ＹＡＧ（Y3Al5O12:Ce3+）が用いられている。
【００４２】
母材３４ａは、上述した母材２４ａと同一の材料を用いることができるため、ここではその説明は省略する。
【００４３】
以上のような構成から、母材３４ａに対する黄色蛍光体３４ｙの配分比率を調整することにより、第２ＬＥＤ１３は、色温度が約３６００Ｋ（第２色温度）の白色光を出射する発光装置となる。
【００４４】
（レンズ）
次に、図５、及び図８乃至図１０を参照しつつ、レンズ１６について説明する。図８は、本実施例の照明装置１を構成するＬＥＤモジュール２のレンズ１６の正面図である。また、図９は、本実施例の照明装置１を構成するＬＥＤモジュール２のレンズ１６の側面図である。更に、図１０は、図８の線X-Xに沿ったレンズ１６の断面図である。
【００４５】
図８乃至図１０から分かるように、レンズ１６は、全体として略半球状の形状を有し、光出射面１６ａ側の中央部に複数の単レンズを縦及び横方向に配列した構造を有するフライアイレンズである。また、図１０に示すように、レンズ１６は、光入射面１６ｂ側に開口１６ｃが形成されている。更に、開口１６ｃの底面は、凸レンズを形成するように、光入射面１６ｂ側に向けて突出している。
【００４６】
ここで、レンズ１６は、ネジ等の接合部材（図示せず）をモジュール基板１１に接合されている。そして、図５から分かるように、レンズ１６がモジュール基板１１に接合された状態のＬＥＤモジュール２においては、レンズ１６の開口１６ｃ内に第１ＬＥＤ１２及び第２ＬＥＤ１３が配置されている。すなわち、第１ＬＥＤ１２及び第２ＬＥＤ１３は、レンズ１６の開口１６ｃの底面に対向している。
【００４７】
レンズ１６には、出射光の広がりが比較的に大きい広角レンズを用いてもよい。例えば、レンズの１／２のビーム角が３０°以上のレンズを用いてもよく、本実施例においては、レンズの１／２ビーム角が５０°の広角レンズをレンズ１６として用いている。
【００４８】
なお、レンズ１６は、上述したような広角レンズに限定されることはなく、照明装置１の使用用途に応じて、射光の広がりが比較的に小さい狭角レンズ又は中角レンズを用いることもできる。例えば、レンズの１／２のビーム角が３０°未満のレンズを用いてもよい。
【００４９】
レンズ１６の原材料としては、例えば、硼珪酸ガラス（ＢＫ７）又は合成石英を用いることができるが、これらに限定されることなく、一般的に使用されている様々なレンズ材料を用いることができる。
【００５０】
なお、本実施例においては、レンズ１６を略半球状のフライアイレンズとしていたが、その外形は限定されることなく、例えば、レンズの側面が回転放物面であってもよい。また、本実施例においては、第１ＬＥＤ１２及び第２ＬＥＤ１３から出射された光を集光するために、レンズ１６をフライアイレンズとしたが、光を集光することができるフレネルレンズ、又は一般的な両凸レンズ若しくは平凸レンズを用いてもよい。
【００５１】
＜照明装置の電気回路構成＞
次に、本実施例に係る照明装置１の電気回路構成及び照明装置１の発光制御を説明する。図１１は、本実施例に係る照明装置１の電気回路構成の概略を示す電気回路図である。また、図１２及び図１３は、図１１の回路構成における各トランジスタの作動状態、及び各ＬＥＤの駆動電流の電流値の一例を示すタイムチャートである。
【００５２】
図１１から分かるように、照明装置１のＬＥＤモジュール２には、１個の第１ＬＥＤ１２、６個の第２ＬＥＤ１３に加え、電流制限用の抵抗Ｒ１及び抵抗Ｒ２、並びにＬＥＤを駆動用の駆動電流を供給するためのトランジスタＱ１及びトランジスタＱ２が設けられている。ここで、抵抗Ｒ１は対応する第１ＬＥＤ１２に流れる電流を適正な大きさに調整するために設けられ、抵抗Ｒ２は対応する６個の第２ＬＥＤ１３に流れる電流を適正な大きさに調整するために設けられている。
【００５３】
具体的には、第１ＬＥＤ１２は抵抗Ｒ１に対して直列に接続されており、第１ＬＥＤ１２のアノードが抵抗Ｒ１を介して電源４１ａの正極に接続されている。また、第１ＬＥＤ１２のカソードは、トランジスタＱ１のコレクタに接続され、トランジスタＱ１のエミッタが電源４１ａの負極に接続されている。一方、６個の第２ＬＥＤ１３は極性を同じくして互いに並列に接続されており、第１ＬＥＤ１２と同様に、アノードが抵抗Ｒ２を介して電源４１ｂの正極に接続されると共に、カソードがトランジスタＱ２を介して電源４１ｂの負極に接続されている。
【００５４】
ここで、電源４１ａは、照明装置１の外部から外部接続端子１９を介して供給される交流電圧を直流電圧に変換する変換回路からなる直流電源であり、照明装置１の内部に設けられている。同様に、電源４１ｂは、照明装置１の外部から外部接続端子２０を介して供給される交流電圧を直流電圧に変換する変換回路からなる直流電源であり、照明装置１の内部に設けられている。また、図１１には図示しないもの、電源４１ａ、４１ｂは照明装置１の外部電源に接続されている。
【００５５】
また、トランジスタＱ１、Ｑ２は、いずれもそれぞれのベース信号に応じてオン・オフ状態を切り換え可能であり、電流制御部４２からそれぞれのベースに対して個別にベース信号が送出されるようになっている。より具体的な接続関係としては、トランジスタＱ１のベースには、電流制御部４２を構成する定電流制御回路４２ａが接続され、トランジスタＱ２のベースには、電流制御部４２を構成するデューティ比制御回路４２ｂが接続されている。
【００５６】
更に、照明装置１は、照明装置１から出射する光の輝度等の発光特性の調整を外部から行うために、操作部４３が設けられている。操作部４３は、電流制御部４２に接続され、照明装置１から出射する光の輝度等の発光特性を設定するための外部からの操作に応じ、設定された輝度に対応した駆動信号を電流制御部４２に伝達する。そして、電流制御部４２は、当該駆動信号に応じて、トランジスタＱ１及びトランジスタＱ２の動作を制御し、第１ＬＥＤ１２に供給される駆動電流と、第２ＬＥＤ１３に供給される駆動電流とを制御する。
【００５７】
次に、電流制御部４２における具体的な制御について説明する。上述したように、電流制御部４２は、定電流回路４２ａ及びデューティ比制御回路４２ｂを備えており、定電流制御回路４２ａがトランジスタＱ１にベース信号を供給し、デューティ比制御回路４２ｂがトランジスタＱ２にベース信号を供給する。
【００５８】
すなわち、第１ＬＥＤ１２は定電流制御回路４２ａによって制御され、より具体的には、トランジスタＱ１がＯＮ駆動することにより、第１ＬＥＤ１２には一定値の駆動電流が常に供給されることになり、第１ＬＥＤ１２に流れる実際の駆動電流（すなわち、第２ＬＥＤ１３に供給される電力量）は一定となる。
【００５９】
一方、第２ＬＥＤ１３はデューティ比制御回路４３ｂによって制御され、より具体的には、トランジスタＱ２に供給されるベース信号の大きさは変化しないものの、ベース信号の供給時間と非供給時間の比率が制御されている。すなわち、トランジスタＱ２を所定の周期で断続的にオンオフ駆動させることにより、第２ＬＥＤ１３に供給される駆動電流の供給時間及び非供給時間の比率が制御され、第２ＬＥＤ１３に流れる実際の駆動電流（すなわち、第２ＬＥＤ１３に供給される電力量）がデューティ比制御回路４３ｂによって制御されることになる。換言すれば、第２ＬＥＤ１３に供給される駆動電流は、デューティ比制御回路４３ｂによって上述した駆動信号に応じて可変電流で制御されることになる。
【００６０】
なお、電流制御部４２は、操作部４３から供給される電気信号に対応した制御内容を記憶する記憶部（例えば、メモリ）を有していてもよい。このような場合、電流制御部４２は、操作部４３から供給される電気信号に対応する制御内容を当該記憶部から読み出し、読み出した制御内容に応じてトランジスタＱ１及びトランジスタＱ２の動作を制御することになる。
【００６１】
以下において、図１２及び図１３を参照しつつ、定電流制御回路４２ａ及びデューティ比制御回路４２ｂによる駆動電流の制御を具体的に説明する。
【００６２】
先ず、比較的に暗く且つ赤味をおびている合成白色光を照明装置１から出射する場合を、図１２に示す。図１２に示す状態において、トランジスタＱ１がオン状態になると第１ＬＥＤ１２に電流値Ａ０の駆動電流が流れ、第１ＬＥＤ１２から１９００Ｋの白色光が出射する。一方、トランジスタＱ２は、周期ｔ０（例えば２０ｍｓ）の間において、オン期間ｔ１のみ（例えば３ｍｓ）オン状態となり、当該オン期間ｔ１の間に第１ＬＥＤ１２に電流値Ａ０の駆動電流が流れ、第２ＬＥＤ１３から３６００Ｋの白色光が出射する。
【００６３】
このように、トランジスタＱ２のオン期間ｔ１を周期ｔ０に対して比較短くすると、トランジスタＱ２がオン状態の際に、第２ＬＥＤ１３に瞬間的（すなわち、ｔ１の期間）に流れる駆動電流の電流値はＡ０で同一であるものの、実際に照明装置１を使用している状態（すなわち、ｔ０の周期が複数回繰り返されている状態）において、第２ＬＥＤ１３に実際に供給される駆動電流の電流値はＡ０よりも半分以下になる。従って、図１２に示されている状態においては、第２ＬＥＤ１３から出射する１９００Ｋの光が第１ＬＥＤ１２から出射する３６００Ｋの光よりも明るくなり、照明装置１から出射する合成白色光の色温度は１９００Ｋに近づき、全体として均一に赤みがかった色の合成白色光が出射することになる。
【００６４】
上述した状態から照明装置１の出射光を明るくする（すなわち、調光する）ために、例えば図１３に示すように、トランジスタＱ２のオン期間をオン期間ｔ１よりも長いオン期間ｔ２（例えば、１８ｍｓ）とし、トランジスタＱ２の駆動時間を長くする。
【００６５】
このように、トランジスタＱ２のオン期間を周期ｔ０に近づけると、実際に照明装置１を使用している状態（すなわち、ｔ０の周期が複数回繰り返されている状態）において、第２ＬＥＤ１３に実際に供給される駆動電流の電流値は、図１２の状態と比して、第２ＬＥＤ１３に瞬間的（すなわち、ｔ２の期間）に流れる駆動電流の電流値（Ａ０）に近づくことになる。従って、図１３に示されている状態においては、第２ＬＥＤ１３から出射する１９００Ｋの光と第１ＬＥＤ１２から出射する３６００Ｋの光の明るさはほぼ同一になり、照明装置１から出射する合成白色光の色温度は３６００Ｋにより近づき、より昼白色に近い色の光を出射することになる。
【００６６】
このように、定電流回路４２ａによって第１ＬＥＤ１２に流れる実際の駆動電流を一定にしつつ、デューティ比制御回路４２ｂによって第２ＬＥＤ１３に供給される駆動電流の供給時間及び非供給時間を調整することにより、１９００Ｋの光を一定の強度で出射しつつ３６００Ｋの光の強度を自在に調整することが可能となり、照明装置１から出射する合成白色光の強度の変化に応じて色温度を変化させることが可能になる。すなわち、照明装置１から出射する合成白色光の強度が小さい（すなわち、合成白色光が比較的暗い）場合には、合成白色光の色温度を１９００Ｋに近づけることができ、照明装置１から出射する合成白色光の強度が大きき（すなわち、合成白色光が比較的明るい）場合には、合成白色光の色温度を３６００Ｋに近づけることができる。
【００６７】
＜照明装置の評価＞
次に、本実施例に係る照明装置１を実際に天井に取り付けた場合に、照明装置１から出射する合成白色光の特性を評価した結果を図１４を参照しつつ説明する。具体的な評価方法として、第２ＬＥＤ１３に供給する実際の駆動電流（印可電流）を変化させた場合に、照明装置１から出射する合成白色光の色温度（Ｋ）、及び照明装置１から合成白色光の光軸方向に５０ｃｍ離間した位置の照度（ｌｘ）を測定した。図１４の横軸は第２ＬＥＤ１３への印可電流（ｍＡ）であり、第１縦軸（図１４の右側に位置する縦軸）は照明装置１から出射する合成白色光の色温度（Ｋ）、第２縦軸（図１４の左側に位置する縦軸）は照明装置１から合成白色光の光軸方向に５０ｃｍ離間した位置（すなわち、照明装置１から５０ｃｍ直下）の照度（ｌｘ）である。
【００６８】
図１４に示すように、第２ＬＥＤ１３への印可電流を増加させると、照明装置１から出射する合成白色光の色温度、及び照明装置１から５０ｃｍ直下の照度も徐々に増加することが分かった。特に、照明装置１から５０ｃｍ直下の照度は、印可電流の増加に正比例して増加することが分かった。一方、照明装置１から出射する合成白色光の色温度は、印可電流の値が大きくなると、その増加率が小さくなり、印可電流の値が５００ｍＡを越えると、色温度がほとんど変化しないことが分かった。
【００６９】
より具体的な数値データとして、第２ＬＥＤ１３に対して駆動電流を供給しない場合には、第１ＬＥＤ１２のみが発光するため、照明装置１からは１９００Ｋの光が出射し、５０ｃｍ直下の照度は約４００ｌｘであった。第２ＬＥＤ１３に対する印可電流が１００ｍＡに達すると、照明装置１からは約２３５０Ｋの合成白色光が出射し、５０ｃｍ直下の照度は約６１０ｌｘであった。第２ＬＥＤ１３に対する印可電流を３００ｍＡまで増加させると、照明装置１からは約２６５０Ｋの合成白色光が出射し、５０ｃｍ直下の照度は約１０００ｌｘであった。第２ＬＥＤ１３に対する印可電流を５００ｍＡまで更に増加させると、照明装置１からは約２８００Ｋの合成白色光が出射し、５０ｃｍ直下の照度は約１３５０ｌｘであった。そして、第２ＬＥＤ１３に対する印可電流を８００ｍＡまで増加させると、照明装置１からは約３１００Ｋの合成白色光が出射し、５０ｃｍ直下の照度は約１４５０ｌｘであった。
【００７０】
以上のように、本実施例に係る照明装置１から出射する合成白色光の色温度は、合成白色光が明るくなるとともに増加することが分かった。具体的には、合成白色光が比較的暗い場合には、その色温度が１９００Ｋに近く、電球色の光が照明装置１から出射されていたが、合成白色光がより明るくなるにつれて、その色温度が増加して最終的には３２００Ｋに近づき、昼白色に近い色の光を照明装置１から出射することになる。
【００７１】
なお、本実施例においては、第１ＬＥＤ１２から出射する白色光の色温度は１９００Ｋであったが、１６００Ｋ以上３０００Ｋ以下の範囲内で調整することができる。そして、第１ＬＥＤ１２から出射する白色光の色温度に応じて、第２ＬＥＤ１３から出射する白色光の色温度を４０００Ｋ以上に調整してもよい。このような場合であっても、第１ＬＥＤ１２から出射する白色光の色温度（すなわち、第１色温度）と、第２ＬＥＤ１３から出射する白色光の色温度（すなわち、第２色温度）との合成色温度を１６００Ｋ以上４０００Ｋ以下に調整することが好ましい。更に好ましくは、最終的に、当該合成色温度を１６００Ｋ以上３０００Ｋ以下に調整することが好ましい。
【００７２】
＜本実施例の効果＞
本実施例に係る照明装置１においては、第１ＬＥＤ１２に対しては定電流制御回路４２ａから一定値の駆動電流を供給しつつ、第１ＬＥＤ１２から出射する白色光（１９００Ｋ）よりも高い色温度の白色光（３６００Ｋ）を出射する第２ＬＥＤ１３に対しては、駆動電流の供給時間及び非供給時間の比率を制御することによって実際の駆動電流の電流値を制御することができた。当該制御により、照明装置１から出射する合成白色光の明るさを変化させつつ、その色温度を適切に調整することが可能となる。
【００７３】
また、本実施例の照明装置１においては、第１ＬＥＤ１２に供給される駆動電流の値は一定値であるため、第１ＬＥＤ１２及び第２ＬＥＤ１３を相互に関連させて駆動する等の複雑な制御方法及び制御回路が不要となり、電流制御部４１の構成をより簡易にすることができる。これにより、本実施例に係る照明装置１は、コストの低減が十分になされることになる。
【００７４】
以上のことから、本実施例に係る照明装置は、簡易な構成でハロゲン電球の代替として使用できる。
【００７５】
そして、本実施例に係る照明装置１は、上述した効果を奏することが可能であるため、ダウンライト、スポットライト、ユニバーサルダウンライト、ハロゲン電球、及び白熱電球等の様々な一般照明装置に適用することができる。
【００７６】
＜変形例＞
上述した実施例に係るＬＥＤモジュール２においては、モジュール基板１１の実装面側の中央部に第１ＬＥＤ１２を実装し、その周囲を囲み且つ同心円状に第２ＬＥＤ１３を実装していたが、このような実装配置に限定されることはない。例えば、図１５に示すように、第１ＬＥＤ１２及び第２ＬＥＤ１３を実装してもよい。図１５に示すＬＥＤモジュール２'を変形例として、以下に説明する。ここで、図１５は、図４と同様にして示すＬＥＤモジュール２'の正面図である。
【００７７】
図１５に示すように、モジュール基板１１の実装面上には、１個の第１ＬＥＤ１２が配置され、当該１個の第１ＬＥＤ１２を囲むように８個の第２ＬＥＤ１３が配置されている。より具体的には、第１ＬＥＤ１２及び第２ＬＥＤ１３は、全体として、３行×３列となるように、マトリックス状に配置されている。
【００７８】
このように第１ＬＥＤ１２及び第２ＬＥＤ１３を配置する場合には、例えば、第１ＬＥＤ１２から出射する白色光の色温度が１９００Ｋとなるように調整され、第２ＬＥＤ１３から出射する白色光の色温度が３１００Ｋとなるように調整されてもよい。
【００７９】
このように、第１ＬＥＤ１２及び第２ＬＥＤ１３をマトリックス状に配置した場合であっても、上述した実施例と同様の制御方法によって第１ＬＥＤ１２及び第２ＬＥＤ１３に供給される駆動電流を制御すれば、ＬＥＤモジュール２'を備える照明装置１から出射する合成白色光の色温度を、合成白色光の明るさに応じて適切に制御することができる。
【００８０】
また、第１ＬＥＤ１２及び第２ＬＥＤ１３の実装配置は、例えば、図１６に示すようにしてもよい。図１６に示すＬＥＤモジュール２''を変形例として、以下に説明する。ここで、図１６は、図４と同様にして示すＬＥＤモジュール２''の正面図である。
【００８１】
図１６に示すように、モジュール基板１１の実装面上には、４個の第１ＬＥＤ１２、及び５個の第２ＬＥＤ１３が実装されている。具体的な実装配置として、第１ＬＥＤ１２及び第２ＬＥＤ１３は、互い違いとなるように実装されている。換言すれば、第１ＬＥＤ１２及び第２ＬＥＤ１３は、交互になるように配置されている。
【００８２】
このように第１ＬＥＤ１２及び第２ＬＥＤ１３を配置する場合には、例えば、第１ＬＥＤ１２から出射する白色光の色温度が１９００Ｋとなるように調整され、第２ＬＥＤ１３から出射する白色光の色温度が４０００Ｋとなるように調整されてもよい。
【００８３】
このように、第１ＬＥＤ１２及び第２ＬＥＤ１３を交互に配置した場合であっても、上述した実施例と同様の制御方法によって第１ＬＥＤ１２及び第２ＬＥＤ１３に供給される駆動電流を制御すれば、ＬＥＤモジュール２''を備える照明装置１から出射する合成白色光の色温度を、合成白色光の明るさに応じて適切に制御することができる。
【００８４】
なお、ＬＥＤモジュール２''のモジュール基板１１の実装面の中央部には第２ＬＥＤ１３が位置しているが、第１ＬＥＤ１２が実装面の中央部に位置してもよい。
【００８５】
更に、上述した実施例に係るＬＥＤモジュール２においては、第１ＬＥＤ１２及び第２ＬＥＤ１３から出射する光を集光する共通の光学部材としてレンズ１６が設けられていたが、レンズ１６の大きさ及びその配置はこれに限定されることはない。例えば、図１７に示すように、第２ＬＥＤ１３の光射出方向のそれぞれに独立したレンズ１６'を配置してもよい。このようなレンズ１６'を備えるＬＥＤモジュール２’’’を変形例として、以下に説明する。ここで、図１７は、図４と同様にして示すＬＥＤモジュール２’’’の正面図である。
【００８６】
図１７に示すように、モジュール基板１１の実装面の中央部上には１個の第１ＬＥＤ１２が配置され、当該１個の第１ＬＥＤ１２を囲むように４個の第２ＬＥＤ１３が配置されている。より具体的には、第１ＬＥＤ１２の四辺のそれぞれに１個の第２ＬＥＤ１３の一辺が対向し、第１ＬＥＤ１２を囲むように４個の第２ＬＥＤ１３が同心円状に配置されている。
【００８７】
そして、モジュール基板１１の実装面の中央部上に位置する第１ＬＥＤ１２の光射出方向にはレンズ１６'は配置されず、第２ＬＥＤ１２の光射出方向のみにレンズ１６'が配置されている。ここで、レンズ１６'は上述した実施例に係るレンズ１６と同種のフライアイレンズであるが、その寸法のみがレンズ１６と比して小さく、１個の第２ＬＥＤ１３を囲むことができる程度の寸法の開口が光出射面とは反対側に形成されている。
【００８８】
このように第１ＬＥＤ１２及び第２ＬＥＤ１３を配置し、且つ第２ＬＥＤ１３の光射出方向のみにレンズ１６'を配置する場合には、例えば、第１ＬＥＤ１２から出射する白色光の色温度が１９００Ｋとなるように調整され、第２ＬＥＤ１３から出射する白色光の色温度が３０００Ｋとなるように調整されてもよい。
【００８９】
このように、図１７に示すようなＬＥＤモジュール２’’’を備えるような照明装置１においても、上述した実施例と同様の制御方法によって第１ＬＥＤ１２及び第２ＬＥＤ１３に供給される駆動電流を制御すれば、照明装置１から出射する合成白色光の色温度を、合成白色光の明るさに応じて適切に制御することができる。また、第２ＬＥＤ１３のみをレンズを介して配光し、第１ＬＥＤ１２を広角のままで使用することによって、第１ＬＥＤ１２から出射する光と第２ＬＥＤ１３から出射する光を一段と混ぜ合わせることができる。
【００９０】
また、上述した実施例においては、第１ＬＥＤ１２と第２ＬＥＤ１３の構造は異なっていたが、両ＬＥＤともに、４３０ｎｍ以上４８０ｎｍ以下に発光ピーク波長を有するＬＥＤチップ３２、並びに母材３４ａ及び黄色蛍光体３４ｙからなる波長変換部材３４を有してもよい。更に、両ＬＥＤともに、３６０ｎｍ以上４２０ｎｍ以下に発光ピーク波長を有するＬＥＤチップ２２、並びに母材２４ａ、青色蛍光体２４ｂ、緑色蛍光体２４ｇ、及び赤色蛍光体２４ｒからなる波長変換部材２４を有してもよい。そして、第１ＬＥＤ１２と第２ＬＥＤ１３の構造を入れ代えてもよい。具体的には、第１ＬＥＤ１２が、４３０ｎｍ以上４８０ｎｍ以下に発光ピーク波長を有するＬＥＤチップ３２、並びに母材３４ａ及び黄色蛍光体３４ｙからなる波長変換部材３４を有し、第２ＬＥＤ１３が、３６０ｎｍ以上４２０ｎｍ以下に発光ピーク波長を有するＬＥＤチップ２２、並びに母材２４ａ、青色蛍光体２４ｂ、緑色蛍光体２４ｇ、及び赤色蛍光体２４ｒからなる波長変換部材２４を有してもよい。
【００９１】
上述したいずれの場合であっても、母材２４ａ、３４ａ中における各蛍光体濃度を調整することにより、第１ＬＥＤ１２から出射する白色光の色温度を好ましくは１６００Ｋ以上３０００Ｋ以下とし、第２ＬＥＤ１３から出射する白色光の色温度を第１ＬＥＤ１２から出射する白色光の色温度よりも高くする必要がある。
【００９２】
また、第１ＬＥＤ１２及び第２ＬＥＤ１３は、各ＬＥＤチップと波長変換部材２４、３４とが接触する構造を有していたが、各ＬＥＤチップと波長変換部材２４、３４とが離間した構造を有していてもよい。すなわち、各ＬＥＤは、いわゆる、リモートフォスファー型の発光装置であってもよい。
【００９３】
また、第１ＬＥＤ１２は定電流制御回路４２ａによって制御され、第２ＬＥＤ１３はデューティ比制御回路４３ｂによって制御される構造を有していたが、第１ＬＥＤ１２もデューティ比制御回路によって制御される構造を有し、第１ＬＥＤ１２に供給される駆動電流が停止されたときに、第１ＬＥＤ１２に供給される駆動電流が前記駆動信号に応じて可変電流で制御されるようにしてもよい。これにより、照明装置１が消灯するまでの挙動を一段とハロゲン電球に近づけることができる。なお、第１ＬＥＤ１２に供給される駆動電流が停止されるとは、周期的に駆動電流が０になる期間ではなく、駆動電流の供給が完全に停止することをいう。
【００９４】
さらに、第１ＬＥＤ１２は定電流制御回路４２ａによって制御され、第２ＬＥＤ１３はデューティ比制御回路４３ｂによって制御される構造を有していたが、第２ＬＥＤ１３に供給される駆動電流が停止されたときに、第１ＬＥＤ１２に供給される駆動電流が停止されるようにしてもよい。これにより、第１ＬＥＤ１２に供給される駆動電流が停止されたときに、照明装置１を消灯することができ、照明装置１の挙動を一段とハロゲン電球に近づけることができる。
【００９５】
そして、上述した実施例に係る照明装置１においては、バイポーラトランジスタであるトランジスタＱ１、Ｑ２がスイッチング素子として用いられていたが、ＭＯＳ電界効果型トランジスタ（Metal-Oxide-Semiconductor Field-Effect Transistor）をバイポーラトランジスタに代えて用いてもよい。
【符号の説明】
【００９６】
１    照明装置
２    ＬＥＤモジュール
３    本体
４    開口
５    筐体
６    外枠
７    固定部材
１１    モジュール基板
１２    第１ＬＥＤ（第１発光装置）
１３    第２ＬＥＤ（第２発光装置）
１４    発光体部
１６    レンズ
１９、２０    外部接続端子
２２、３２    ＬＥＤチップ（半導体発光素子）
２３    パッケージ
２３ａ    実装基板
２３ｂ、２３ｃ    電極パターン
２３ｄ    キャビティ
２３ｅ    開口
２４、３４    波長変換部材
２４ａ、３４ａ    母材
２４ｂ    青色蛍光体
２４ｇ    緑色蛍光体
２４ｒ    赤色蛍光体
２５    金属ワイヤー
３４ｙ    黄色蛍光体
４１ａ、４１ｂ    電源
４２    電流制御部
４２ａ    定電流制御回路
４２ｂ    デューティ比制御回路
４３    操作部
【図１】
2014130728.tif 000003
【図２】
2014130728.tif 000004
【図３】
2014130728.tif 000005
【図４】
2014130728.tif 000006
【図５】
2014130728.tif 000007
【図６】
2014130728.tif 000008
【図７】
2014130728.tif 000009
【図８】
2014130728.tif 000010
【図９】
2014130728.tif 000011
【図１０】
2014130728.tif 000012
【図１１】
2014130728.tif 000013
【図１２】
2014130728.tif 000014
【図１３】
2014130728.tif 000015
【図１４】
2014130728.tif 000016
【図１５】
2014130728.tif 000017
【図１６】
2014130728.tif 000018
【図１７】
2014130728.tif 000019